(57)【要約】データを共有する方法とシステムを提供する。方法は、ネットワークサーバが、第１のノードから共有要求メッセージを受信することであって、共有要求メッセージは共有データを提供する第２のノードのアカウントを含む、共有要求メッセージを受信することと、第２のノードのアカウントに基づいて、第２のノードの共有記録を取得することであって、共有記録はネットワークサーバに記憶される、共有記録を取得することと、共有記録に基づいて第２のノードの共有モードを識別することと、第２のノードの共有モードに基づいて、返信メッセージを第１のノードに送信することとを含む。方法を採用することによって、車両の画面イメージは、無線ネットワークを通して他の車両と共有できる。【選択図】図１
2019528519.tif 000002
【特許請求の範囲】
【請求項１】
ネットワークサーバが、第１のノードから、共有要求メッセージを受信することであって、前記共有要求メッセージは共有データを提供する第２のノードのアカウントを含む、前記共有要求メッセージを受信することと、
前記第２のノードの前記アカウントに基づいて、前記第２のノードの共有記録を取得することであって、前記共有記録は前記ネットワークサーバに記憶される、前記共有記録を取得することと、
前記共有記録に基づいて、前記第２のノードの共有モードを識別することと、
前記第２のノードの前記共有モードに基づいて、返信メッセージを前記第１のノードに送信することと、
を含む、データを共有する方法。
【請求項２】
前記共有モードは、１対１共有モード、グループ共有モード、または、パブリック共有モードを含む、請求項１に記載の方法。
【請求項３】
前記第２のノードの前記共有モードが１対１共有モードである場合、前記第２のノードの前記共有記録は、所定のアカウントをさらに含み、
前記方法は、
前記第１のノードのアカウントを前記所定のアカウントと比較することと、
前記第１のノードの前記アカウントが前記所定のアカウントと同じ場合、前記第２のノードのアドレスを前記第１のノードに送信することと、
をさらに含む、請求項２に記載の方法。
【請求項４】
前記第２のノードの前記共有モードがグループ共有モードである場合、前記第２のノードの前記共有記録は、アカウントリストをさらに含み、
前記方法は、
前記アカウントリストが前記第１のノードのアカウントを含むか否かを識別することと、
前記アカウントリストが前記第１のノードの前記アカウントを含む場合、前記第２のノードの前記共有データを前記第１のノードに送信することと、
をさらに含む、請求項２に記載の方法。
【請求項５】
前記共有データは、ビデオデータとオーディオデータとを含む、請求項１に記載の方法。
【請求項６】
前記共有データは、ストリームメディアデータに圧縮される、請求項１に記載の方法。
【請求項７】
第１のノードが、ネットワークサーバに共有モードメッセージを送信することであって、前記共有モードメッセージは前記第１のノードの共有モードを含む、前記共有モードメッセージを送信することと、
前記ネットワークサーバからデータ送信メッセージを受信することであって、前記データ送信メッセージは、宛先アドレスを含み、前記宛先アドレスは、前記第１のノードの前記共有モードに基づいて決定される、前記データ送信メッセージを受信することと、
共有データを前記宛先アドレスに送信することと、
を含む、データを共有する方法。
【請求項８】
前記共有モードは、１対１共有モード、グループ共有モード、または、パブリック共有モードを含む、請求項７に記載の方法。
【請求項９】
前記第１のノードの前記共有モードが１対１共有モードである場合、前記データ送信メッセージの前記宛先アドレスは、第２のノードのアドレスである、請求項８に記載の方法。
【請求項１０】
前記第１のノードの前記共有モードがグループ共有モードまたはパブリック共有モードである場合、前記データ送信メッセージの前記宛先アドレスは、前記ネットワークサーバのアドレスである、請求項８に記載の方法。
【請求項１１】
第１のノードが、ネットワークサーバに共有要求メッセージを送信することであって、前記共有要求メッセージは共有データを提供する第２のノードのアカウントを含む、前記共有要求メッセージを送信することと、
前記ネットワークサーバから返信メッセージを受信することであって、前記返信メッセージは前記第２のノードの共有モードを示す、前記返信メッセージを受信することと、
前記第２のノードの前記共有モードに従って、前記ネットワークサーバまたは前記第２のノードから共有データを受信することと、
を含む、データを共有する方法。
【請求項１２】
前記共有モードは、１対１共有モード、グループ共有モード、または、パブリック共有モードを含む、請求項１１に記載の方法。
【請求項１３】
前記第２のノードの前記共有モードが１対１共有モードである場合、前記第１のノードは、前記第２のノードから前記共有データを受信する、請求項１２に記載の方法。
【請求項１４】
前記第２のノードの前記共有モードがグループ共有モードまたはパブリック共有モードである場合、前記第１のノードは、前記ネットワークサーバから前記共有データを受信する、請求項１２に記載の方法。
【請求項１５】
トランシーバ、メモリデバイス、及び、処理装置を含み、前記処理装置は、
前記トランシーバが第１のノードから共有要求メッセージを受信した後、第２のノードのアカウントに基づいて、第２のノードの共有記録を取得することであって、前記共有要求メッセージは共有データを提供する前記第２のノードの前記アカウントを含み、前記共有記録は前記メモリデバイスに記憶される、前記第２のノードの前記共有記録を取得するように構成され、
前記共有記録に基づいて、前記第２のノードの共有モードを識別するように構成され、且つ、
前記第２のノードの前記共有モードに基づいて、返信メッセージを前記第１のノードに送信するように前記トランシーバを制御するように構成される、
データを共有するシステム。
【請求項１６】
前記共有モードは、１対１共有モード、グループ共有モード、または、パブリック共有モードを含む、請求項１５に記載のシステム。
【請求項１７】
前記第２のノードの前記共有モードが１対１共有モードである場合、前記第２のノードの前記共有記録は、所定のアカウントをさらに含み、
前記処理装置は、
前記第１のノードのアカウントを前記所定のアカウントと比較するように、且つ、
前記第１のノードの前記アカウントが前記所定のアカウントと同じ場合、前記第２のノードのアドレスを前記第１のノードに送信するように前記トランシーバを制御するように、
さらに構成される、
請求項１６に記載のシステム。
【請求項１８】
前記第２のノードの前記共有モードがグループ共有モードである場合、前記第２のノードの前記共有記録は、アカウントリストをさらに含み、
前記処理装置は、
前記アカウントリストが前記第１のノードのアカウントを含むか否かを識別するように、且つ、
前記アカウントリストが前記第１のノードの前記アカウントを含む場合、前記第２のノードの前記共有データを前記第１のノードに送信するように前記トランシーバを制御するように、
さらに構成される、請求項１６に記載のシステム。
【請求項１９】
トランシーバと処理装置とを含み、前記処理装置は、
ネットワークサーバに共有モードメッセージを送信するように前記トランシーバを制御することであって、前記共有モードメッセージは第１のノードの共有モードを含む、前記共有モードメッセージを送信するように前記トランシーバを制御するように構成され、
前記ネットワークサーバからデータ送信メッセージを受信するように前記トランシーバを制御することであって、前記データ送信メッセージは宛先アドレスを含み、前記宛先アドレスは前期第１のノードの前記共有モードに基づいて決定される、前記データ送信メッセージを受信するように前記トランシーバを制御するように構成され、且つ、
共有データを前記宛先アドレスに送信するように前記トランシーバを制御するように構成される、
データを共有するシステム。
【請求項２０】
前記共有モードは、１対１共有モード、グループ共有モード、または、パブリック共有モードを含む、請求項１９に記載のシステム。
【請求項２１】
前記第１のノードの前記共有モードが１対１共有モードである場合、前記データ送信メッセージの前記宛先アドレスは、第２のノードのアドレスである、請求項２０に記載のシステム。
【請求項２２】
前記第１のノードの前記共有モードがグループ共有モードまたはパブリック共有モードである場合、前記データ送信メッセージの前記宛先アドレスは、前記ネットワークサーバのアドレスである、請求項２０に記載のシステム。
【請求項２３】
トランシーバと処理装置とを含み、前記処理装置は、
ネットワークサーバに共有要求メッセージを送信するように前記トランシーバを制御することであって、前記共有要求メッセージは共有データを提供する第２のノードのアカウントを含む、前記共有要求メッセージを送信するように前記トランシーバを制御するように構成され、
前記ネットワークサーバから返信メッセージを受信するように前記トランシーバを制御することであって、前記返信メッセージは前記第２のノードの共有モードを示す、前記返信メッセージを受信するように前記トランシーバを制御するように構成され、且つ、
前記第２のノードの前記共有モードに従って、前記ネットワークサーバまたは前記第２のノードから共有データを受信するように前記トランシーバを制御するように構成される、
データを共有するシステム。
【請求項２４】
前記共有モードは、１対１共有モード、グループ共有モード、または、パブリック共有モードを含む、請求項２３に記載のシステム。
【請求項２５】
前記第２のノードの前記共有モードが１対１共有モードである場合、前記処理装置は、前記共有データを前記第２のノードから受信するように前記トランシーバを制御するように構成される、請求項２４に記載のシステム。
【請求項２６】
前記第２のノードの前記共有モードがグループ共有モードまたはパブリック共有モードである場合、前記処理装置は、前記共有データを前記ネットワークサーバから受信するように前記トランシーバを制御するように構成される、請求項２４に記載のシステム。
【発明の詳細な説明】
【技術分野】
【０００１】
本開示は、一般的に、データを共有する方法及びシステムに関する。
【背景技術】
【０００２】
今日、画面共有技術は、パーソナルコンピュータ間のデスクトップ共有や携帯電話間の画面共有等、多くの分野に適用されるようになった。画面共有技術によって、ネットワーク上のコンピュータの遠隔での観察や制御が可能になる。さらに、車両通信システムの開発で、車両間であまり時間差の無い、速く信頼性の高い通信ネットワークをリーズナブルな価格で取得することが可能になった。よって、車両通信システムのための画面共有方法を提供する必要がある。
【発明の概要】
【課題を解決するための手段】
【０００３】
一実施形態においては、データを共有する方法を提供する。方法は、ネットワークサーバが、第１のノードから共有要求メッセージを受信することであって、共有要求メッセージは、共有データを提供する第２のノードのアカウントを含む、共有要求メッセージを受信することと、第２のノードのアカウントに基づいて、第２のノードの共有記録を取得することであって、共有記録はネットワークサーバに記憶された、共有記録を取得することと、共有記録に基づいて、第２のノードの共有モードを識別することと、第２のノードの共有モードに基づいて、返信メッセージを第１のノードに送信することとを含む。
【０００４】
ある実施形態においては、共有モードは、１対１共有モード、グループ共有モード、または、パブリック共有モードである。
【０００５】
ある実施形態においては、第２のノードの共有モードが１対１共有モードである場合、第２のノードの共有記録は、所定のアカウントをさらに含み、方法は、第１のノードのアカウントを所定のアカウントと比較することと、第１のノードのアカウントが所定のアカウントと同じである場合、第２のノードのアドレスを第１のノードに送信することとをさらに含む。
【０００６】
ある実施形態においては、第２のノードの共有モードがグループ共有モードである場合、第２のノードの共有記録は、アカウントリストをさらに含み、方法は、アカウントリストが第１のノードのアカウントを含むか否かを識別することと、アカウントリストが第１のノードのアカウントを含む場合、第２のノードの共有データを第１のノードに送信することとをさらに含む。
【０００７】
ある実施形態においては、共有データは、ビデオデータとオーディオデータを含む。
【０００８】
ある実施形態においては、共有データは、ストリームメディアデータに圧縮される。
【０００９】
一実施形態においては、データを共有する方法が提供される。方法は、第１のノードが、ネットワークサーバに共有モードメッセージを送信することであって、共有モードメッセージは第１のノードの共有モードを含む、共有モードメッセージを送信することと、ネットワークサーバからデータ送信メッセージを受信することであって、データ送信メッセージは宛先アドレスを含み、宛先アドレスは第１のノードの共有モードに基づいて決定される、データ送信メッセージを受信することと、共有データを宛先アドレスに送信することとを含む。
【００１０】
ある実施形態においては、共有モードは、１対１共有モード、グループ共有モード、または、パブリック共有モードである。
【００１１】
ある実施形態においては、第１のノードの共有モードが１対１共有モードである場合、データ送信メッセージの宛先アドレスは、第２のノードのアドレスである。
【００１２】
ある実施形態においては、第１のノードの共有モードがグループ共有モードまたはパブリック共有モードである場合、データ送信メッセージの宛先アドレスは、ネットワークサーバのアドレスである。
【００１３】
一実施形態においては、データを共有する方法が提供される。方法は、第１のノードが、ネットワークサーバに共有要求メッセージを送信することであって、共有要求メッセージは共有データを提供する第２のノードのアカウントを含む、共有要求メッセージを送信することと、ネットワークサーバから返信メッセージを受信することであって、返信メッセージは第２のノードの共有モードを示す、返信メッセージを受信することと、第２のノードの共有モードに従って、ネットワークサーバまたは第２のノードから共有データを受信することとを含む。
【００１４】
ある実施形態においては、共有モードは、１対１共有モード、グループ共有モード、または、パブリック共有モードである。
【００１５】
ある実施形態においては、第２のノードの共有モードが１対１共有モードである場合、第１のノードは、第２のノードから共有データを受信する。
【００１６】
ある実施形態においては、第２のノードの共有モードがグループ共有モードまたはパブリック共有モードである場合、第１のノードは、ネットワークサーバから共有データを受信する。
【００１７】
一実施形態においては、データを共有するシステムが提供される。システムは、トランシーバと、メモリデバイスと、処理装置とを含み、処理装置は、トランシーバが共有要求メッセージを第１のノードから受信した後、第２のノードのアカウントに基づいて第２のノードの共有記録を取得することであって、共有要求メッセージは共有データを提供する第２のノードのアカウントを含み、共有記録はメモリデバイスに記憶される、第２のノードの共有記録を取得するように構成され、共有記録に基づいて、第２のノードの共有モードを識別するように構成され、且つ、第２のノードの共有モードに基づいて、返信メッセージを第１のノードに送信するようにトランシーバを制御するように構成される。
【００１８】
ある実施形態においては、共有モードは、１対１共有モード、グループ共有モード、または、パブリック共有モードである。
【００１９】
ある実施形態においては、第２のノードの共有モードが１対１共有モードである場合、第２のノードの共有記録は、所定のアカウントをさらに含み、処理装置は、さらに、第１のノードのアカウントを所定のアカウントと比較するように構成され、且つ、第１のノードのアカウントが所定のアカウントと同じ場合、第２のノードのアドレスを第１のノードに送信するようにトランシーバを制御するように構成される。
【００２０】
ある実施形態においては、第２のノードの共有モードがグループ共有モードである場合、第２のノードの共有記録は、アカウントリストをさらに含み、処理装置は、アカウントリストが第１のノードのアカウントを含むか否かを識別するようにさらに構成され、且つ、アカウントリストが第１のノードのアカウントを含む場合、第２のノードの共有データを第１のノードに送信するようにトランシーバを制御するように構成される。
【００２１】
一実施形態においては、データを共有するシステムが提供される。システムは、トランシーバと処理装置を含み、処理装置は、ネットワークサーバに共有モードメッセージを送信するようにトランシーバを制御することであって、共有モードメッセージは第１のノードの共有モードを含む、共有モードメッセージを送信するようにトランシーバを制御するように構成され、ネットワークサーバからデータ送信メッセージを受信するようにトランシーバを制御することであって、データ送信メッセージは第１のノードの共有データが送信される宛先アドレスを含み、宛先アドレスは第１のノードの共有モードに基づいて決定される、データ送信メッセージを受信するようにトランシーバを制御するように構成され、且つ、共有データを宛先アドレスに送信するようにトランシーバを制御するように構成される。
【００２２】
ある実施形態においては、共有モードは、１対１共有モード、グループ共有モード、または、パブリック共有モードである。
【００２３】
ある実施形態においては、第１のノードの共有モードが１対１共有モードである場合、データ送信メッセージの宛先アドレスは、第２のノードのアドレスである。
【００２４】
ある実施形態においては、第１のノードの共有モードがグループ共有モードまたはパブリック共有モードである場合、データ送信メッセージの宛先アドレスは、ネットワークサーバのアドレスである。
【００２５】
一実施形態においては、データを共有するシステムが提供される。システムは、トランシーバと処理装置を含み、処理装置は、ネットワークサーバに共有要求メッセージを送信するようにトランシーバを制御することであって、共有要求メッセージは共有データを提供する第２のノードのアカウントを含む、共有要求メッセージを送信するようにトランシーバを制御するように構成され、ネットワークサーバから返信メッセージを受信するようにトランシーバを制御することであって、返信メッセージは、第２のノードの共有モードを示す、返信メッセージを受信するようにトランシーバを制御するように構成され、且つ、第２のノードの共有モードに従って、ネットワークサーバまたは第２のノードから共有データを受信するようにトランシーバを制御するように構成される。
【００２６】
ある実施形態においては、共有モードは、１対１共有モード、グループ共有モード、または、パブリック共有モードである。
【００２７】
ある実施形態においては、第２のノードの共有モードが１対１共有モードである場合、処理装置は、第２のノードから共有データを受信するようにトランシーバを制御するように構成される。
【００２８】
ある実施形態においては、第２のノードの共有モードがグループ共有モードまたはパブリック共有モードである場合、処理装置は、ネットワークサーバから共有データを受信するようにトランシーバを制御するように構成される。
【００２９】
データを共有する方法及びシステムを採用することによって、車両の画面イメージが、無線ネットワークを通して他の車両と共有できる。
【００３０】
本開示の前述及び他の特徴は、添付図面と共に以下の記載と添付の請求項を読むとより完全に明らかになろう。これらの図面は、開示による幾つかの実施形態のみを描いており、よって、開示の範囲の制限とみなすべきではないことを理解して、添付図面を使用して追加の特徴及び詳細と共に開示を記載する。
【図面の簡単な説明】
【００３１】
【図１】１つまたは複数の実施形態による、データを共有する方法のフローチャートを概略的に示す。
【図２】１つまたは複数の実施形態による、データを共有する方法の適用シナリオを概略的に示す。
【図３】１つまたは複数の実施形態による、共有記録を概略的に示す。
【図４】１つまたは複数の実施形態による、データを共有する方法の別のフローチャートを概略的に示す。
【図５】１つまたは複数の実施形態による、データを共有するシステムのブロック図を概略的に示す。
【発明を実施するための形態】
【００３２】
以下の詳細な説明において、その一部をなす添付図面を参照する。図面において、類似の記号は、文脈上別段の場合を除き、一般的に、類似の構成要素を示す。詳細な説明、図面、及び、請求項に記載された例示的な実施形態は、制限を意図してはいない。本明細書に提示の主題の趣旨または範囲を逸脱することなく、他の実施形態を利用してよく、他の変更を行ってよい。本明細書に一般的に記載し、図面に示す本開示の態様は、広範な異なる構成で、配置、置き換え、組み合わせ、設計でき、それらは全て、明示的に企図され、本開示の一部をなすことは容易に理解されよう。
【００３３】
詳細な説明及び請求項の「第１の」「第２の」等の語は、類似の要素を区別するために使用され、特定の順序や時間順を記載してはいないことに注意されたい。
【００３４】
図１は、本開示の１つまたは複数の実施形態による、データを共有する方法のフローチャートを概略的に示す。
【００３５】
Ｓ１０１において、第１のノード１０は、共有モードメッセージをネットワークサーバ３０に送信する。共有モードメッセージは、第１のノード１０の共有モードを含む。
【００３６】
ある実施形態においては、図２に示すように、本開示の方法は、第１の車両で実施されてよい。第１のノード１０は、ヘッドユニット（ＨＵ）、または、第１の車両のハンドヘルドデバイスであってよい。
【００３７】
ある実施形態においては、ネットワークサーバ３０は、テレマティクスサービスプロバイダ（ＴＳＰ：Ｔｅｌｅｍａｔｉｃｓ  Ｓｅｒｖｉｃｅ  Ｐｒｏｖｉｄｅｒ）サーバである。ＴＳＰは、車両追跡、衛星ナビゲーション、無線車両安全通信、コンサルティングサービス、及び、車両の緊急警告システム、並びに、インテリジェント車両技術等の実践的適用を提供し得る。
【００３８】
ある実施形態においては、ネットワークサーバ３０は、リモートサーバで、コンピュータプログラムを実行して本開示の方法のステップを行う。
【００３９】
ある実施形態においては、共有モードメッセージは、第１のノード１０のアカウントと、第１のノード１０のアドレスとをさらに含む。
【００４０】
ある実施形態においては、第１のノード１０の共有モードは、パブリック共有モード、グループ共有モード、または、１対１共有モードである。共有モードが１対１共有モードまたはグループ共有モードである場合、共有モードメッセージは、第１のノード１０の共有データにアクセスを許可された所定のアカウントまたは複数のアカウントをさらに含んでよい。
【００４１】
第１のノード１０の共有モードがパブリック共有モードである場合でさえ、第１のノード１０は、その共有データにパスワードを設定できることに注意されたい。
【００４２】
Ｓ２０１において、ネットワークサーバ３０は、共有モードメッセージを受信する。
【００４３】
Ｓ２０２において、ネットワークサーバ３０は、第１のノード１０の共有記録を確立し、共有記録は、第１のノード１０の共有モードを含む。
【００４４】
ある実施形態においては、共有記録は、ネットワークサーバ３０のメモリデバイスに記憶されてよい。共有記録の例は、図３に示される。図３に示すように、共有記録は、第１のノード１０のアカウントと、第１のノード１０のアドレスと、第１のノード１０の共有モードとを含む。ある実施形態においては、共有記録は、共有モードに対応する許可されたアカウントリストをさらに含む。上記のように、第１のノード１０の共有モードが１対１共有モードである場合、許可されたアカウントリストは、１つの所定のアカウントのみを含み、第１のノード１０の共有モードがグループ共有モードである場合、許可されたアカウントリストは、複数のアカウントを含み、第１のノード１０の共有モードがパブリック共有モードである場合、アカウントリストは、アカウントを含まず、これは、第１のノード１０の共有データに皆がアクセスできることを意味する。ある実施形態においては、共有記録の上記情報は、共有モードメッセージに基づいて取得されてよい。
【００４５】
第１のノード１０の共有モードがパブリック共有モードで、第１のノード１０が共有データにパスワードを設定する時、パスワードも共有記録に保存されてよいことに注意されたい。
【００４６】
Ｓ３０１において、第２のノード２０は、ネットワークサーバ３０に共有要求メッセージを送信し、共有要求は、第１のノード１０のアカウントを含む。
【００４７】
ある実施形態においては、図２に示すように、本開示の方法は、第２の車両で実施されてよい。第２のノード２０は、ヘッドユニット（ＨＵ）、または、第２の車両のハンドヘルドデバイスであってよい。第１のノード１０及び第２のノード２０は、セルラーネットワークまたは狭域通信（ＤＳＲＣ：Ｄｅｄｉｃａｔｅｄ  Ｓｈｏｒｔ  Ｒａｎｇｅ  ｃｏｍｍｕｎｉｃａｔｉｏｎ）ネットワーク等、無線ネットワークを通してネットワークサーバ３０と接続されてよい。セルラーネットワークは、３Ｇネットワーク、４Ｇネットワーク、または、５Ｇネットワークであってよい。従って、第１のノード１０、第２のノード２０、及び、ネットワークサーバ３０を接続する物理的配線は必要ないので、接続距離が制限されない。
【００４８】
ある実施形態においては、共有要求メッセージは、第２のノード２０のアカウントと第２のノード２０のアドレスとをさらに含んでよい。
【００４９】
ある実施形態においては、共有要求メッセージを送信する前に、第２のノード２０は、最初に、第１のノード１０が共有状態にあるか否かを決定するために、クエリメッセージをネットワークサーバ３０に送信してよい。ネットワークサーバ３０からの返信がｙｅｓの場合、第２のノード２０は、共有要求をネットワークサーバ３０に送信する。そうでない場合、第２のノード２０は、共有要求メッセージを送信しない。
【００５０】
Ｓ２０３において、ネットワークサーバ３０は、第２のノード２０から共有要求メッセージを受信し、共有要求メッセージは、第１のノード１０のアカウントを含む。
【００５１】
Ｓ２０４においては、ネットワークサーバ３０は、第１のノード１０の共有記録を取得する。
【００５２】
ある実施形態においては、ネットワークサーバ３０は、第２のノード２０から受信した要求メッセージをパースし、第１のノード１０のアカウントを取得してよい。共有記録は、ネットワークサーバ３０に記憶されているので、ネットワークサーバ３０は、検索プロセスを行って、第１のノード１０のアカウントに基づいて、第１のノード１０の共有記録を取得してよい。
【００５３】
Ｓ２０５において、ネットワークサーバ３０は、共有記録に基づいて、第１のノード１０の共有モードを識別する。
【００５４】
前述のように、共有記録は、第１のノード１０のアカウント、アドレス、及び、共有モードを含むので、ネットワークサーバ３０は、第１のノード１０の共有モードを識別できる。
【００５５】
Ｓ２０６において、ネットワークサーバ３０は、第１のノード１０の共有モードに基づいて、返信メッセージを第２のノード２０に送信する。
【００５６】
第１のノード１０の共有モードが１対１共有モードである場合、ネットワークサーバ３０は、第２のノード２０のアカウントが共有記録に保存された所定のアカウントと同じか否かを決定してよい。ｙｅｓの場合、ネットワークサーバ３０は、第１のノード１０のアドレスを第２のノード２０に送信してよく、従って、第２のノード２０は、第１のノード１０との接続を確立でき、共有データを第１のノード１０から直接、取得できる。ｎｏの場合、ネットワークサーバ３０は、共有要求メッセージへの返信メッセージとして、拒絶メッセージを第２のノード２０に送信してよい。
【００５７】
第１のノード１０の共有モードがグループ共有モードである場合、ネットワークサーバ３０は、第２のノード２０のアカウントが共有記録のアカウントリストにあるか否かを決定してよい。ｙｅｓの場合、ネットワークサーバ３０は、確認メッセージを第２のノード２０に送信する。ｎｏの場合、ネットワークサーバ３０は、拒絶メッセージを第２のノード２０に送信してよい。
【００５８】
第１のノード１０の共有モードがパブリック共有モードである場合、ネットワークサーバ３０は、確認メッセージを第２のノード２０に直接、送信する。
【００５９】
ある実施形態においては、第１のノード１０の共有モードがパブリック共有モードであり、第１のノード１０が共有データにパスワードを設定する場合、ネットワークサーバ３０は、共有要求メッセージのパスワードが、第１のノード１０によって設定され、共有記録に保存されたパスワードと一致するか否かを決定してよい。ｙｅｓの場合、ネットワークサーバ３０は、確認メッセージを第２のノード２０に送信する。ｎｏの場合、ネットワークサーバ３０は、拒絶メッセージを第２のノード２０に送信してよい。
【００６０】
Ｓ３０２において、第２のノード２０は、返信メッセージをネットワークサーバ３０から受信する。
【００６１】
Ｓ２０７において、ネットワークサーバ３０は、データ送信メッセージを第１のノード１０に送信する。データ送信メッセージは、第１のノード１０の共有データを送信すべき宛先アドレスを含み、宛先アドレスは、第１のノード１０の共有モードに基づいて決定される。
【００６２】
Ｓ１０２において、第１のノード１０は、データ送信メッセージをネットワークサーバ３０から受信する。
【００６３】
共有要求が許可され、第１のノード１０の共有モードが１対１共有モードである場合、第２のノード２０は、第１のノード１０のアドレスを取得してよく、第１のノード１０との接続を直接、確立してよい。次に、図１に示すように、以下のステップＳ１０３及びＳ３０３が行われる。
【００６４】
Ｓ１０３において、第１のノード１０の共有モードが１対１共有モードである場合、第１のノード１０は、共有データを第２のノード２０に直接、送信する。
【００６５】
Ｓ３０３において、第２のノード２０は、第１のノード１０から送信された共有データを受信する。
【００６６】
ステップＳ１０２を行った後、共有要求が許可され、第１のノード１０の共有モードがパブリック共有モードまたはグループ共有モードである場合、第１のノード１０及び第２のノード２０は、それぞれ、ネットワークサーバ３０と接続を確立してよい。図４に示すように、以下のステップＳ１０４、Ｓ２０８、Ｓ３０４が行われる。
【００６７】
Ｓ１０４において、第１のノード１０の共有モードがパブリック共有モードまたはグループ共有モードである場合、第１のノード１０は、共有データをネットワークサーバ３０に送信する。
【００６８】
Ｓ２０８において、ネットワークサーバ３０は、第１のノード１０から送信された共有データを受信し、共有データを第２のノード２０に送信する。
【００６９】
Ｓ３０４において、第２のノード２０は、共有データをネットワークサーバ３０から受信する。
【００７０】
ある実施形態においては、共有データは、ビデオデータとオーディオデータを含む。第１のノード１０の共有データが画面イメージデータである場合、本開示のデータ共有方法は、安全上の理由で、共有操作をサポートしなくてよい。すなわち、第２のノード２０は、第１のノード１０から共有された画面データを取得できるが、画面を直接操作できない。この制限は、安全に配慮するだけでなく、方法の実施を容易にする。
【００７１】
ある実施形態においては、共有データは、ナビゲーションマップとルートデータとを含み、これは、同じ目的地への車でのパレード計画等、あるシナリオにおいては非常に役に立つ。異なる車両は、異なるナビゲーションマップとルートデータとを有し得るので、それらの車両が自己のルートに従って走行する場合、車両が目的地に一様に到着するのは難しい場合がある。しかし、本開示のデータ共有方法が、これらの車両で実施される場合、第１の車両をそのナビゲーション画面を共有するように割り当てることができ、それによって、残りの車両は、ナビゲーション画面を取得でき、共有されたナビゲーション画面に基づいて、残りの車両のルートを調整できる。
【００７２】
ある実施形態においては、共有データはビデオデータであってよい。例えば、今日、ますます多くの車両が、フロントカメラまたドライブレコーダを備えるようになっている。第１の車両は、カメラまたはドライブレコーダのイメージを画面に出力し、次に、画面イメージを他の車両と共有する場合、これら他の車両は、道路条件、天候条件、及び、画面に提示される他の情報を含む、第１の車両の現在位置における特定の状況が分かり得る。情報は、他の車両が、自己の運行を前もってより良く計画するための大きな助けになる。他の例においては、車両の運転手は、ナビゲーションまたはフロントカメラからのイメージを任意の時に自分の家族に共有してよく、自分がどこにいるか、また、現在の運転条件はどうかを家族に知らせてよい。
【００７３】
ある実施形態においては、共有データは、マルチメディアエンターテイメントデータであってよい。車両が、ビデオ再生をサポートしていない場合、他の車両からの画面共有を介してビデオを見ることができる。
【００７４】
ある実施形態においては、共有データは、ストリームメディアデータに圧縮される。ストリームメディアデータにおいては、帯域幅を節約するように、ビデオの変化するフレームのみが、圧縮され、符号化される。
【００７５】
共有プロセスは、第１のノード１０または第２のノード２０のいずれかによって終了されてよいことに注意されたい。
【００７６】
本開示の実施形態によると、データを共有するシステムも提供される。ある実施形態においては、システムは、車両またはコンピュータに搭載されてよい。
【００７７】
図５を参照すると、システムは、トランシーバ５０１、メモリデバイス５０２、及び、処理装置５０３を含んでよい。処理装置は、トランシーバ５０１が共有要求メッセージを第１のノードからを受信した後、第２のノードのアカウントに基づいて、第２のノードの共有記録を取得することであって、共有要求メッセージは共有データを提供する第２のノードのアカウントを含み、共有記録はメモリデバイスに記憶される、第２のノードの共有記録を取得するように構成され、共有記録に基づいて、第２のノードの共有モードを識別するように構成され、且つ、第２のノードの共有モードに基づいて、返信メッセージを第１のノードに送信するようにトランシーバを制御するように構成される。
【００７８】
ある実施形態においては、システムは、トランシーバ５０１と処理装置５０３を含む。処理装置５０３は、ネットワークサーバに共有モードメッセージを送信するようにトランシーバを制御することであって、共有モードメッセージは第１のノードの共有モードを含む、共有モードメッセージを送信するようにトランシーバを制御するように構成され、ネットワークサーバからデータ送信メッセージを受信するようにトランシーバを制御することであって、データ送信メッセージは第１のノードの共有データが送信される宛先アドレスを含み、宛先アドレスは第１のノードの共有モードに基づいて決定される、データ送信メッセージを受信するようにトランシーバを制御するように構成され、且つ、共有データを宛先アドレスに送信するようにトランシーバを制御するように構成される。
【００７９】
ある実施形態においては、システムは、トランシーバ５０１と処理装置５０３を含んでよい。処理装置５０３は、ネットワークサーバに共有要求メッセージを送信するようにトランシーバを制御することであって、共有要求メッセージは共有データを提供する第２のノードのアカウントを含む、共有要求メッセージを送信するようにトランシーバを制御するように構成され、ネットワークサーバから返信メッセージを受信するようにトランシーバを制御することであって、返信メッセージは第２のノードの共有モードを示す、返信メッセージを受信するようにトランシーバを制御するように構成され、且つ、第２のノードの共有モードに従って、ネットワークサーバまたは第２のノードから共有データを受信するようにトランシーバを制御するように構成される。
【００８０】
データを共有するためのシステムに関するさらなる詳細は、上記方法の説明に記載しており、ここでは詳細に記載しない。
【００８１】
一実施形態によると、データを共有するためのコンピュータプログラムを含む非一時的コンピュータ可読媒体が提供される。コンピュータプログラムは、プロセッサによって実行されると、データを共有する方法のステップを行うようにプロセッサに指示する。
【００８２】
システムの態様のハードウェアによる実施とソフトウェアによる実施との間にはほとんど違いはなく、ハードウェアまたはソフトウェアの使用は、一般に、費用対効果のトレードオフを表す設計の選択である。例えば、実施者が、スピードと正確さが最優先であると決定する場合、主にハードウェア及び／またはファームウェアの車両を選んでよく、柔軟性が最優先であると場合、実施者は、主にソフトウェアの実施態様を選んでよく、または、さらに、代わりに、実施者は、ハードウェア、ソフトウェア、及び／または、ファームウェアの何らかの組み合わせを選んでよい。
【００８３】
様々な態様及び実施形態を本明細書に開示したが、他の態様及び実施形態が、当業者には明らかであろう。本明細書に開示の様々な態様及び実施形態は、説明目的のためであり、制限を意図してはおらず、真の範囲及び趣旨は、以下の請求項によって示される。
【図１】
2019528519.tif 000003
【図２】
2019528519.tif 000004
【図３】
2019528519.tif 000005
【図４】
2019528519.tif 000006
【図５】
2019528519.tif 000007
【国際調査報告】
2019528519.tif 000008
2019528519.tif 000009